(57)【要約】【課題】メモリへのデータの書込みを行わずに、予め設定した読み取り領域からデータを読み取り、予め準備したアルゴリズムに適用させることで、メモリの実装有無を判別するようにした電子機器を提供する。【解決手段】所定のプログラムないし参照データを予め格納した不揮発性メモリを付加的に実装可能とした電子機器において、  所定の読み取り領域と、データ特性を判別するためのアルゴリズムとを予め準備し、電源の投入時に、上記不揮発性メモリの特定された読み取り領域をアクセスして、読み取ったデータに対して、上記アルゴリズムを適用することで、不揮発メモリの実装の有無を判定する制御手段を備えている。【選択図】図１
2007006314.tif 000002
【特許請求の範囲】
【請求項１】
所定のプログラムないし参照データを予め格納した不揮発性メモリを付加的に実装可能とした電子機器において、
所定の読み取り領域と、データ特性を判別するためのアルゴリズムとを予め準備し、電源の投入時に、上記不揮発性メモリの特定された読み取り領域をアクセスして、読み取ったデータに対して、上記アルゴリズムを適用することで、不揮発メモリの実装の有無を判定する制御手段を備える電子機器。
【請求項２】
請求項１において、
上記不揮発性メモリには、単調増加あるいは単調減少を呈する参照データが記憶されており、上記制御手段は、その参照データを読み取って、該不揮発性メモリの実装の有無を判断するものである電子機器。
【請求項３】
請求項１または２において、
上記不揮発性メモリが、書き換え可能なＲＯＭである電子機器。
【発明の詳細な説明】
【技術分野】
【０００１】
本発明は、実装あるは増設した不揮発性メモリの寿命を向上するために提案されるに関する。
【背景技術】
【０００２】
この種の電子機器として、ＦＡＸ、コピーや複合機などの画像読取装置を例にとすると、近時では事務所や一般家庭などで広く使用されており、これらには、ＲＯＭやＥＥＰＲＯＭなどの不揮発性メモリが使用されている。
【０００３】
下記特許文献１は、書き換え可能なＲＯＭを実装した画像読取装置を開示しているが、この種の画像読取装置では、電源投入時において、書き換え可能なＲＯＭの実装有無の判定を行う場合、ＲＯＭの予め特定して割り付けたアドレスエリアにアクセスして、データを読み出し、別のメモリ（デフォルトで実装されているメモリ等）に一時保存し退避しておく。
【０００４】
そして、そのデータ領域に任意のデータを書き込み、そのデータ領域からデータを読み出して、データの一致を判断して、一致しておれば、記憶手段が実装されていると判定し、このようにして判定した後は、退避していたデータを、その領域に書き込んでいる。
【特許文献１】特開平１０−２０８４６３号公報
【発明の開示】
【発明が解決しようとする課題】
【０００５】
しかしながら、このような方法では、メモリの実装判定のために、書き換え可能なＲＯＭの同じデータ領域には、２回データの書き込みを行っており、書き込み回数制限のあるメモリの寿命を縮めている。
【０００６】
本発明は、このような問題を解決するために提案されるものであり、所定のプログラムないし参照データを記憶して、付加的に実装されるメモリについて、予め特定されたデータ領域からデータを読み込み、予め準備したアルゴリズムに適用させて、読み込んだデータがそのアルゴリズムの特性と一致する場合、メモリの実装があると判別することによって、書き込み回数制限のあるメモリの寿命を縮めることのない新規な構成の画像読取装置を提供することを目的とする。
【課題を解決するための手段】
【０００７】
上記目的を達成するため、請求項１では、所定の読み取り領域と、データ特性を判別するためのアルゴリズムとを予め準備し、電源の投入時に、上記不揮発性メモリの特定された読み取り領域をアクセスして、読み取ったデータに対して、上記アルゴリズムを適用することで、不揮発メモリの実装の有無を判定する制御手段を備える。
【０００８】
請求項２では、不揮発性メモリには、単調増加あるいは単調減少を呈する参照データが記憶されており、制御手段は、その参照データを読み取って、該不揮発性メモリの実装の有無を判断するものである。
【０００９】
請求項３では、不揮発性メモリが、書き換え可能なＲＯＭである。
【発明の効果】
【００１０】
本発明によれば、以下の効果を奏する。
【００１１】
本発明の請求項１〜３によれば、不揮発性メモリの所定の読み取り領域をアクセスして、その領域に記憶されているデータを読み出し、そのデータ特性を、予め準備しているアルゴリズムに適用して、メモリの実装有無を判定するので、従来のように、データの書き込みを行う必要がなく、書き込み回数制限のあるメモリの寿命を縮めることなく、記憶手段の実装有無の判定ができる。
【発明を実施するための最良の形態】
【００１２】
以下に、本発明の実施の形態について説明する。
【実施例１】
【００１３】
図１は、本発明の適用された画像読取装置の要部構成の一例を示すブロック図である。
【００１４】
この画像読取装置１は、以下の各部を制御するＣＰＵ１０、電話回線Ｌに対する接続制御を行うＮＣＵ１１、ファクシミリ通信のための信号の変復調を行うモデム１２、短縮ダイヤルデータなどを格納したＲＡＭ１３、この画像読取装置１が動作するために必要な各種プログラムなどを記憶したＲＯＭ１４、画像メモリ１５、セットされた原稿を読み取り、画像データを生成するスキャナ１６、表示操作部１７、プリンタ１８を備える。
【００１５】
ＲＯＭ１４には、メモリ接続スロットＳを介して、不揮発性メモリ１４Ａを接続可能としている。
【００１６】
不揮発性メモリ１４Ａは、例えばＥＥＰＲＯＭなどの書き換え可能なメモリを適用することができ、そこには、画像読取装置１で使用する所定のプログラムや参照データが記憶され、ＲＯＭ１４には、電源の立ち上げ時などにＣＰＵ１０が参照すべき読み取り領域＃ｉに対応したアドレスエリアが設定されている。
【００１７】
ＣＰＵ１０は、本発明の制御手段を構成しており、不揮発性メモリ１４Ａの特定の読み取り領域＃ｉ（図２参照）から読み出したデータについて、そのデータ特性を判別するため、予めＲＯＭ１４に格納しているアルゴリズムを読み出して、実行するようにしている。
【００１８】
このような構成では、以下に示すように、電源投入時において、不揮発性メモリ１４Ａの実装有無の確認ができる。
これについて、図３のフローチャート（１００〜１０４）とともに説明する。
【００１９】
すなわち、ＣＰＵ１０は、電源投入を検知する、ＲＯＭ１４より、不揮発性メモリ１４Ａの読み取り領域＃ｉを読み取り、そのメモリ１４Ａの実装有無を判別するための予め準備しているアルゴリズムを稼動させて、。
読み出したデータについて、アルゴリズムを適用して、そのデータの属性や、特性を分析し、その判別条件に一致しているかどうかを判断し、読み取ったデータ特性がアルゴリズムで規定されたデータ特性と一致するときには、不揮発性メモリ１４Ａは実装されていると判断するが、一致しない場合には、実装されていないと判断する。
【００２０】
本発明では、このような方法で不揮発性メモリ１４Ａへのデータの書き込みを行わないので、書き換えの不能な通常のＲＯＭにも適用できる。
【００２１】
画像読取装置に適用する場合、γ補正データを格納したＲＯＭなどに対しては、読み取ったデータ特性の単調増加あるいは単調減少するアルゴリズムを準備しておけばよい。
【図面の簡単な説明】
【００２２】
【図１】本発明の画像読取装置の要部構成の一例を示すブロック図
【図２】不揮発性メモリの内部構成の一例を示す図
【図３】不揮発性メモリ実装確認の基本動作の一例を示すフローチャート
【符号の説明】
【００２３】
１  画像読取装置
１０  ＣＰＵ
１４Ａ  不揮発性メモリ
【図１】
2007006314.tif 000003
【図２】
2007006314.tif 000004
【図３】
2007006314.tif 000005